(57)【要約】      （修正有）【課題】１種類の魚道で違った遊泳タイプを持つ複数の魚種、および体長の異なるどのような個体でも遡上が可能な魚道を提供する。特に遊泳力の弱い小型魚種や、底面を這い登るテナガエビ、スジエビ等の甲殻類でも遡上可能な魚道を提供する。【解決手段】プールタイプ魚道のプール部分の隅部に、角度９０°の半円状の斜面３を設けることにより、各段は隔壁１からの越流と、斜面流、及びプール４部分との３つの部分で構成されることになる。そのことにより、一つの魚道で多種多様な魚類、水生生物が遡上可能となる。【選択図】図１
2013217172.tif 000002
【特許請求の範囲】
【請求項１】
流れ方向と垂直方向に複数の隔壁を設けたプールタイプ魚道のプール部分の隔壁と側壁とで構成される隅部の１か所ないし２か所に、角度９０°の半円状の斜面を設けたことを特徴とする魚道。
【請求項２】
前記斜面の最大傾斜角度が１０°から６０°であり、その形状は平面あるいは凸円弧面状をなし、その表面に多数の凹凸構造を設けたことを特徴とする請求項１に記載の魚道。
【請求項３】
各段の斜面と隔壁との間に、プール部分を有することを特徴とする請求項１および２に記載の魚道。
【発明の詳細な説明】
【技術分野】
【０００１】  本発明は、農業排水路や河川の落差工に設け、魚類や水生生物の遡上と降下を容易することができる魚道に関するものである。
【背景技術】
【０００２】従来、魚道を設置する場合にはアユ、サケ・マス類などの漁業対象種を対象とすることが一般的であったが、近年は生物多様性保全の観点から河川、水田などに生息するフナやドジョウなどの小型魚種並びに回遊性を有する甲殻類を対象とした魚道が考案されるようになっている。その背景として、圃場整備後の水田は用排水路の分離により水田と排水路の連続性が分断され、水田周辺を生息域としていたドジョウ、メダカ、フナ、ナマズなどの魚種の減少が著しいことがあげられる。【０００３】このような分断された水域ネットワークを回復する小規模水田魚道には、千鳥Ｘ型、ハーフコーン型など、流れ方向に複数の隔壁を設けたプールタイプ魚道と（特許文献１）、カスケードＭ型、波付丸型管など、緩い傾斜面に凹凸を付けた底面粗度タイプ魚道の２種類がある。プールタイプ魚道はフナ、タナゴなどの遊泳魚の遡上に適し、底面粗度タイプ魚道はドジョウ、ハゼ類などの底生魚の遡上に適している（非特許文献１）。【０００４】このようなタイプの違う魚道では、その型に合った魚類は魚道を遡上可能であるが、違ったタイプの魚道については遡上が困難である。たとえば底面粗度タイプの魚道は底生魚の遡上には適しているが、遊泳魚の遡上には適していない。また、同一魚種であっても、体長の大きさによって遡上能力が異なるので、プールタイプ魚道であれば隔壁の高さや越流の速さ、底面粗度タイプ魚道であれば傾斜や水流の速さがその個体に適していなければならず、どのようなサイズの個体でも遡上可能な魚道を設計することは非常に困難である。
【先行技術文献】
【０００５】
【特許文献１】特開２００６−２３３４６８
【非特許文献１】勝呂尚之・鈴木正貴・水谷正一、ホトケドジョウに適した魚道の検討、神奈川県水産技術センター研究報告第３号（２００８）Ｐ  ８７−９５
【発明の概要】
【発明が解決しようとする課題】
【０００６】このように、１種類の魚道で違った遊泳タイプを持つ複数の魚種が遡上できる魚道はこれまで考案されておらず、さらに同一魚種であっても体長の異なるどのような個体でも遡上が可能な魚道はこれまで考案されたことがなかった。【０００７】本発明は、１種類の魚道で違った遊泳タイプを持つ複数の魚種、および体長の異なるどのような個体でも遡上が可能な魚道を提供するものである。特に遊泳力の弱い小型魚種や、底面を這い登るテナガエビ、スジエビ等の甲殻類でも遡上可能な魚道を提供するものである。
【課題を解決するための手段】
【０００８】上記課題を解決するために、本発明に係る魚道は、流れ方向と垂直方向に複数の隔壁を設けたプールタイプ魚道のプール部分の隅部に、角度９０°の半円状で、多数の流れ方向に垂直な凹凸構造をもつ斜面をプール部分の一部に設けた構成となっている。この斜面は、２か所の隅部に設けてもよいし、１か所に設けてもよい。この斜面を設けることにより、魚道のプールを構成している側壁は、１ないし２つの斜面部により構成されることになる。
【発明の効果】
【０００９】この斜面を設けたことにより、本発明の魚道の各プール部分を流れる水流は、１か所ないし２か所の片流れの凹凸斜面を魚道の中心部に向かって流下し、残りの水は垂直の隔壁を溢流して流下することになる。【００１０】そのため、底生魚は凹凸が設けられている片流れ斜面を遡上することができ、一方で遊泳魚は残りのプール部分の垂直の隔壁を使って遡上することができる。また、凹凸部分では水流が減勢されるので、遊泳力の弱い魚種や甲殻類も遡上可能となる。【００１１】さらに、プール部分の一部に設置された片流れ斜面により、水流は隔壁を越流する垂直流が１００％の部分と、斜面流が１００％の部分の間で、垂直流と斜面流との割合が連続的に変化するため、遡上魚類にとっては、泳力に適した遡上経路を自由に選択することができ、遡上成績が格段に向上する。【００１２】
【図面の簡単な説明】
【００１３】
【図１】本発明の魚道の平面図である。
【図２】（ａ）［図１］のＩ−Ｉ線に沿って切った場合の魚道の断面図である。（ｂ）［図１］のＩＩ−ＩＩ線に沿って切った場合の魚道の断面図である。（ｃ）［図１］ＩＩＩ−ＩＩＩ線に沿って切った場合の魚道の断面図である。
【図３】（ａ）、（ｂ）斜面部の形状を示す図である。
【図４】（ａ）、（ｂ）隔壁の頂面形状を示す断面図である。
【発明を実施するための形態】
【００１４】  以下に、本発明を実施するための形態について、図面を参照しながら詳細に説明する。図１は、本発明の魚道の一例を示す平面図である。図１に示されるように、本発明の魚道は、複数の流れ方向に垂直な隔壁１と流れ方向に沿った側壁２によって構成されるプールの隔壁１と側壁２の隅部の１か所ないしは２か所に、角度９０°の半円状の斜面３を設けた構成となっている。図１には、隔壁１と側壁２とで構成されたプール４の片隅一か所に１つの斜面を設けた構造を示している。
【００１５】  斜面３は平面でもよいし、凸円弧面あるいは凹円弧面でもよいが、ある程度斜面３を流れる水流を確保し水深を保つ目的では、平面あるいは凸円弧面の形状が望ましく、最も望ましい形状は凸円弧面である。斜面３の角度は、最大傾斜角度１０°から６０°が望ましい。１０°未満では魚道全体の長さが長大となり設備コストが増大する。６０°より角度が大きいと斜面を遡上する底生魚の遡上に適さなくなる。最も望ましい角度は２５°から４５°である。
【００１６】図２（ａ）は、図１に示す魚道のＩ−Ｉ線に沿って切った場合の、図２（ｂ）はＩＩ−ＩＩ線に沿って切った場合の、図２（ｃ）は、ＩＩＩ−ＩＩＩ線に沿って切った場合の断面図である。隔壁１を越流した水流は、側壁２に近い部分では図２（ａ）に示す通り、斜面３の上を流れた後プール４に流下し、斜面３がない部分では図２（ｃ）に示す通り隔壁１からプール４に直接流下する。その中間部分では、図２（ｂ）に示す通り上部は隔壁１から垂直に流下した後、下部は斜面３を流れプール４に流下することになる。このように、斜面流と垂直流の部分の長さが、場所により任意の値を取りうるので、遡上魚類にとっては、泳力に適した遡上経路を自由に選択することが可能となる。
【００１７】斜面３には、図３（ａ）に示したように、斜面を流れる水流に垂直の方向に波状の凹凸５、あるいは図３（ｂ）に示したように突起６を設けることにより、水流を減速すると同時に遡上生物の足掛かりとすることができる。
【００１８】各プール部分の水流方向の長さＬ１に対する斜面の垂直投影部分の長さＬ２は、図１に示した通り、Ｌ２≦Ｌ１の範囲であれば任意の長さでよいが、Ｌ２が短い場合は斜面の傾斜がきつくなるため、斜面の傾斜を６０°未満に抑えるように長さを加減することが望ましい。Ｌ２＝Ｌ１の場合でも、図２（ａ）に示されるように、本発明の魚道では斜面の手前に必然的にプール部分が生じることになる。このことで、各段の斜面部を遡上した魚類は、次の斜面の手前にあるプール部分で休止することができるため、カスケードＭ型等の連続的に斜面が続く魚道では遡上が困難な遊泳力に劣る小型魚種でも遡上が可能となる。
【００１９】本発明の魚道の格段を構成する隔壁１の下流側の角は、図４（ａ）に示したように平面状に角取りするか、図４（ｂ）に示したように凸円弧状に角取りすることが望ましい。このような鋭角的な角のない構造をとることにより、隔壁を越流する水流が、隔壁下流面で剥離流となることを防止できるため、遊泳魚の遡上が容易になる。
【００２０】本発明の魚道は、既存の階段状プールタイプの魚道の改良を行う目的でも、簡便に設置可能である。すなわち、プールタイプの各段の寸法に合うような斜面３を既存の階段式魚道に付加することで、多種の魚類、水生生物が遡上可能な魚道に改良することができる。斜面３は、新たにコンクリートで製造してもよいし、市販の歩道と車道の段差を解消するスロープ部材を転用してもよい。寸法が適合し、水流に流されないような固定方法をとれば、どのような部材であっても利用可能であるため、簡便な方法で既存の階段魚道を本発明の魚道に改良可能である。
【符号の説明】
【００２１】１    隔壁
２    側壁
３    斜面
４    プール
５    波状凹凸
６    突起
【手続補正書】
【提出日】平成24年5月23日(2012.5.23)
【手続補正１】
【補正対象書類名】図面
【補正対象項目名】全図
【補正方法】追加
【補正の内容】
【図１】
2013217172.tif 000003
【図２】
2013217172.tif 000004
【図３】
2013217172.tif 000005
【図４】
2013217172.tif 000006